(57)【要約】【課題】移動距離の増大を抑制出来て、自然な動作で待機電力の節電を行うことが出来る配線構造及び該配線構造に用いられるコンセント並びに操作スイッチを提供する。【解決手段】コンセント口１５には、ＯＮ−ＯＦＦ切り替えする為のコンセント用切替スイッチ２０に対して、壁内に敷設される壁内配線２１が用いられて、電気的に操作スイッチ部３０のコンセント用切替スイッチ２０が、接続されている。  この操作スイッチ部３０のコンセント用切替スイッチ２０は、照明用スイッチ３１と並設されて、室１２の出入り口２３のドア２４が設けられた開口部周縁２５近傍で、しかも、上，下方向では、操作者が、立った状態で操作しやすい高さ位置に、ドアノブ２４ａに近接されて設けられている。【選択図】図１
2007295646.tif 000002
【特許請求の範囲】
【請求項１】
室内の壁、床、柱若しくは天井に設けられるコンセントの少なくとも一部への給電を、ＯＮ−ＯＦＦ切り替えする為のコンセント用切替スイッチを室の出入り口近傍に設けられる照明用スイッチと並設したことを特徴とする配線構造。
【請求項２】
少なくとも一部が、ＯＮ−ＯＦＦ切り替え可能となるコンセント口が設けられていることを特徴とする請求項１記載の配線構造に用いられるコンセント。
【請求項３】
同一筐体内に、前記照明用スイッチと、前記コンセント口への給電を、ＯＮ−ＯＦＦ切り替え可能なコンセント用切替スイッチとを設けたことを特徴とする請求項１記載の配線構造に用いられる操作スイッチ。
【発明の詳細な説明】
【技術分野】
【０００１】
本発明は、主に、住宅等の建物の壁内配線に関し、待機電力を減少させて、節電を図ることが出来る配線構造及び該配線構造に用いられるコンセント並びに操作スイッチに関するものである。
【背景技術】
【０００２】
従来から、待機電力節電の為に、スイッチ一体型のコンセントユニット１が知られている（例えば、特許文献１等参照）。
【０００３】
まず、構成から説明すると、このようなスイッチ一体型のコンセントユニット１は、図５に示すように、室２の壁３に設けられた単数のコンセント口５を有するコンセント４に、一方の端子１ａが差し込まれて、他方に設けられた受け口１ｂに、テレビ等の家電製品６のプラグ７が差し込まれることにより、この家電製品６に電力を供給する配線回路中に介在するように構成されている。
【０００４】
また、このスイッチ一体型のコンセントユニット１の前記端子１ａと受け口１ｂとの間には、通電若しくは非通電状態となるように、ＯＮ−ＯＦＦ切り替え可能とする為の切換スイッチ１ｃが設けられている。
【０００５】
次に、この従来のスイッチ一体型のコンセントユニット１の作用について説明する。
【０００６】
このように構成された従来のスイッチ一体型のコンセントユニット１では、前記切り替えスイッチ１ｃを操作して、ＯＮ−ＯＦＦ切り替えを行うことにより、前記家電製品６への供給電流を通電状態から遮断された非通電状態とすることができる。
【０００７】
このため、コンセント口５から、プラグ７を挿抜することなく、家電製品の不使用時に消費される電力を抑えることができる。
【０００８】
なお、複数のコンセント口を、複数のスイッチで独立させて、ＯＮ−ＯＦＦ切り替え可能としたものも知られている（例えば、特許文献２等参照）。
【特許文献１】特開平１０−２１４５３９号公報（０００９段落乃至００２１段落、図１、図２）
【特許文献２】特開２００４−１５２７４０号公報（０００９段落乃至００２４段落、図１乃至図４）
【発明の開示】
【発明が解決しようとする課題】
【０００９】
しかしながら、このように構成された前記従来の配線構造では、前記コンセント４に差し込まれたコンセントユニット１に、前記切り替えスイッチ１ｃが設けられているので、切り忘れしやすい。
【００１０】
また、室２から出る際に、切り忘れに気づいても、前記コンセント４が設けられている場所まで、戻って、前記切り替えスイッチ１ｃを切ることは、往復移動となり、移動効率が良好では無くなるといった問題があった。
【００１１】
そこで、この発明は、移動距離の増大を抑制出来て、自然な動作で待機電力の節電を行うことが出来る配線構造及び該配線構造に用いられるコンセント並びに操作スイッチを提供することを課題としている。
【課題を解決するための手段】
【００１２】
上記目的を達成するために、請求項１に記載された発明は、室内の壁、床、柱若しくは天井に設けられるコンセントの少なくとも一部への給電を、ＯＮ−ＯＦＦ切り替えする為のコンセント用切替スイッチを室の出入り口近傍に設けられる照明用スイッチと並設した配線構造を特徴としている。
【００１３】
また、請求項２に記載されたものは、少なくとも一部が、ＯＮ−ＯＦＦ切り替え可能となるコンセント口が設けられている請求項１記載の配線構造に用いられるコンセントを特徴としている。
【００１４】
更に、請求項３に記載されたものは、同一筐体内に、前記照明用スイッチと、前記コンセント口への給電を、ＯＮ−ＯＦＦ切り替え可能なコンセント用切替スイッチとを設けた請求項１記載の配線構造に用いられる操作スイッチを特徴としている。
【発明の効果】
【００１５】
このように構成された請求項１に記載された発明は、前記ＯＮ−ＯＦＦ切り替えする為のコンセント用切替スイッチが、室の出入り口近傍に設けられているので、該室へ、該出入り口から出入りを行う際に、移動量を増大させることなく、自然な動作で、コンセント用切替スイッチのＯＮ−ＯＦＦ切り替え操作を行うことができる。
【００１６】
また、該コンセント用切替スイッチが、前記室の出入り口近傍に設けられる照明用スイッチと並設されているので、照明のＯＮ−ＯＦＦ操作と共に、該コンセント用切替スイッチのＯＮ−ＯＦＦ操作を忘れること無く行うことができる。
【００１７】
このため、室を出る際等、家電製品の不使用時には、忘れること無く、コンセント用切替スイッチをＯＦＦ操作出来、待機電力の節電を行うことが出来る。
【発明を実施するための最良の形態】
【００１８】
次に、図１乃至図５に基づいて、この発明を実施するための最良の実施の形態の配線構造について説明する。
【００１９】
なお、前記従来例と同一乃至均等な部分については、同一符号を付して説明する。
【００２０】
まず、この実施の形態の配線構造の構成から説明すると、この実施の形態では、図１及び図２に示すように、建物の室１２内の壁３には、家電製品６のプラグ７が、差し込まれて接続される複数のコンセント口１４，１４及び１５を有するコンセント１３が、設けられている。
【００２１】
この実施の形態のコンセント１３は、図３に示すように、室内側カバー部材１３ａによって、前面部が略覆われていて、筐体１３ａ内に収納される前記コンセント口１４，１４及び１５が、上下方向に一定間隔を置いて、並設されている。
【００２２】
このうち、前記コンセント口１５は、ＯＮ−ＯＦＦ切り替えする為のコンセント用切替スイッチ２０に対して、壁内に敷設される壁内配線２１が用いられて、電気的に接続されている。
【００２３】
そして、このコンセント口１５は、このコンセント用切替スイッチ２０のＯＮ−ＯＦＦ操作によって、通電状態と、電流が遮断された非通電状態となるように、切り替え可能に構成されている。
【００２４】
また、前記コンセント口１４，１４は、壁内に敷設される壁内配線２２，２２によって、図４に示すように、常時通電状態となるように、各々電気的に接続されている。
【００２５】
更に、この実施の形態では、前記室１２の出入り口２３のドア２４が設けられた開口部周縁２５近傍で、しかも、上，下方向では、操作者が、立った状態で操作しやすい高さ位置で、ドアノブ２４ａに近接されて、操作スイッチ部３０が設けられている。
【００２６】
この操作スイッチ部３０には、図１に示すように、前記コンセント用切替スイッチ２０と、上下方向に一定間隔を置いて、室１２の出入り口２３近傍に設けられる照明用スイッチ３１とが並設されていて、同一のカバー部材３０ａによって覆われる同一の筐体３０ｂ内に収納されている。
【００２７】
そして、この実施の形態では、室１２の出入り口２３近傍に設けられた照明用スイッチ３１が、天井内配線３２を介して、天井３３に装着される照明器具３４に接続されていて、ＯＮ−ＯＦＦ切り替え操作によって、通電状態と、電流が遮断された非通電状態とに切り替え可能となるように構成されている。
【００２８】
次に、この実施の形態の配線構造の作用効果について説明する。
【００２９】
このように構成された実施の形態の配線構造では、前記ＯＮ−ＯＦＦ切り替えする為のコンセント用切替スイッチ２０が、室１２の出入り口２３近傍に設けられているので、室１２へ、この出入り口２３から出入りを行う際に、移動量を増大させることなく、自然な動作で、コンセント用切替スイッチ２０のＯＮ−ＯＦＦ切り替え操作を行うことができる。
【００３０】
また、コンセント用切替スイッチ２０が、前記室１２の出入り口２３近傍に設けられる照明用スイッチ３１と並設されているので、照明器具３４のＯＮ−ＯＦＦ操作と共に、このコンセント用切替スイッチ２０のＯＮ−ＯＦＦ操作を忘れること無く行うことができる。
【００３１】
このため、室１２を出る際等、家電製品６の不使用時には、プラグ７が、コンセント口１５に差し込まれたままの状態で、忘れることなく、照明用スイッチ３１のＯＦＦ操作と共に、コンセント用切替スイッチ２０をＯＦＦ操作出来、待機電力の節電を行うことが出来る。
【００３２】
また、室１２に入る際には、家電製品６を使用する確率が高いため、照明用スイッチ３１のＯＮ操作と共に、コンセント用切替スイッチ２０のＯＮ操作を行って、待機電力を前記家電製品に通電することが出来、家電製品６の本体スイッチの操作で直ちに使用できるように準備を行うことが出来る。
【００３３】
更に、前記図５に示すスイッチ一体型のコンセントユニット１のように、壁３から突出する寸法Ｌが、大きくなることが無く、家電製品６のプラグ７の突出寸法のみで収まるので、コード等に脚を引っかける虞も無く、室１２内の空間効率及び外観品質を良好なものとすることができる。
【００３４】
以上、図面を参照して、本発明の実施の形態を詳述してきたが、具体的な構成は、この実施の形態に限らず、本発明の要旨を逸脱しない程度の設計的変更は、本発明に含まれる。
【００３５】
即ち、前記実施の形態では、複数のコンセント口１４，１４及び、ＯＮ−ＯＦＦ切り替え可能なコンセント口１５を有するコンセント１３を例示して説明してきたが、特にこれに限らず、例えば、コンセント口１５が単体で設けられているコンセントや、或いは、各々複数のコンセント口１４…，１５…が、設けられているコンセント等、どのような数量の組み合わせであってもよく、少なくとも一部が、ＯＮ−ＯＦＦ切り替え可能となるコンセント口が設けられているものであれば、どのような形状、配列及び材質であってもよく、その設けられる場所についても室内であれば、壁、床、柱若しくは天井等、何れの箇所に設けられていてもよい。
【００３６】
更に、前記実施の形態では、同一の筐体３０ｂ内に、前記コンセント用切替スイッチ２０と、照明用スイッチ３１とが並設されて、収納されて設けられているが、特にこれに限らず、別々の筐体内に収納されていても、室１２の出入り口２３近傍に並設されて設けられるものであればよい。
【図面の簡単な説明】
【００３７】
【図１】本発明の実施の形態の配線構造を説明し、建物の室内の構成を示す一部断面斜視図である。
【図２】本発明の実施の形態の配線構造を示し、全体の構成を説明する模式的な平面図である。
【図３】本発明の実施の形態の配線構造に用いられるコンセントを示す斜視図である。
【図４】本発明の実施の形態の配線構造の回路図である。
【図５】従来例のスイッチ一体型のコンセントユニットが用いられた配線構造を示す室内の斜視図である。
【符号の説明】
【００３８】
１２            室
１３            コンセント
１５            コンセント口
２０            コンセント用切替スイッチ
３１            照明用スイッチ
３４            照明器具
【図１】
2007295646.tif 000003
【図２】
2007295646.tif 000004
【図３】
2007295646.tif 000005
【図４】
2007295646.tif 000006
【図５】
2007295646.tif 000007